(57)【要約】【課題】従来のジャックに対して、外形の小型化と、ジャックが実装される印刷配線基板上の実装面積の縮小と、コンタクトの加工のために必要となるコストの低減と、を実現すること。【解決手段】プラグ挿入孔（１ａ）を備えたハウジング（２１，２２）を有し、弾性を有する導電性金属板によって形成され、プラグに弾性接触する接触部（３ａ）をプラグ挿入孔（１ａ）内に突出させた状態でハウジング（２１）に保持されてなる複数のコンタクトを備えるジャックにおいて、導電性金属板の板面を曲げる加工を伴わない平板状にコンタクトを形成し、接触部（３ａ）が導電性金属板の板面に沿う方向に弾性変位し、導電性金属板の破断面部分によってプラグに弾性接触するようにした。【選択図】  図５
2015185469.tif 000002
【特許請求の範囲】
【請求項１】
プラグ挿入孔を備えたハウジングと、
弾性を有する導電性金属板によって形成され、プラグ挿入孔に挿入されるプラグに弾性接触する接触部をプラグ挿入孔内に突出させた状態でハウジングに保持されてなる複数のコンタクトと、
を有してなるジャックにおいて、
前記複数のコンタクトのうち少なくとも１つのコンタクトが、前記導電性金属板の板面を曲げる加工を伴わない平板状に形成されてなり、
前記接触部が、前記導電性金属板の板面に沿う方向に弾性変位し、導電性金属板の破断面部分でプラグに弾性接触することを特徴とするジャック。
【請求項２】
前記少なくとも１つのコンタクトは、印刷配線基板と接続するための接続端子をさらに有しており、
接続端子は、ハウジングが印刷配線基板の実装面と対向する範囲から突出しない状態で配設され、前記導電性金属板の破断面部分を印刷配線基板の実装面と対向させた状態で、印刷配線基板と接続されることを特徴とする請求項１に記載のジャック。
【請求項３】
前記少なくとも１つのコンタクトは、接触部が過剰に弾性変位することを阻止するための変位規制部をさらに有することを特徴とする請求項１または請求項２に記載のジャック。
【請求項４】
プラグ挿入孔を備えたハウジングと、
弾性を有する導電性金属板によって形成され、プラグ挿入孔に挿入されるプラグに弾性接触する接触部をプラグ挿入孔内に突出させた状態でハウジングに保持されてなる複数のコンタクトと、
を有してなるジャックにおいて、
前記複数のコンタクトの全てが、前記導電性金属板の板面を曲げる加工を伴わない平板状に形成されてなり、
前記接触部が、前記導電性金属板の板面に沿う方向に弾性変位し、導電性金属板の破断面部分でプラグに弾性接触するものであって、
全てのコンタクトが平行にハウジングに保持されてなることを特徴とするジャック。
【請求項５】
前記複数のコンタクトの全てが、印刷配線基板と接続するための接続端子をさらに有しており、
接続端子は、ハウジングが印刷配線基板の実装面と対向する範囲から突出しない状態で配設され、前記導電性金属板の破断面部分を印刷配線基板の実装面と対向させた状態で、印刷配線基板と接続されることを特徴とする請求項４に記載のジャック。
【発明の詳細な説明】
【技術分野】
【０００１】
本発明は、ジャックに関するものである。
【背景技術】
【０００２】
電子機器と、その電子機器に対応する周辺機器とを接続する方法として、電子機器が備えるジャックに、周辺機器が備えるプラグを挿入することによる接続方法が広く用いられている。
【０００３】
引用文献１には、そのような従来のジャックの一例が開示されている（本願の図１０参照）。引用文献１に開示されている単頭ジャック１００は、絶縁材からなるハウジング３００に設けられたプラグ差込部に単頭プラグ１３０を挿入することで、単頭ジャック１００と単頭プラグ１３０との間の電気的接続を得ることができるものである。単頭プラグ１３０は４極のものであり、４つの電極１４０ａ，１４０ｂ，１４０ｃ，１４０ｄを有している。単頭ジャック１００は、保持舌片８００と、３つの導電端子４００を有しており、それぞれ、単頭プラグ１３０の４つの電極と弾性接触するようにハウジング３００に保持されている。
【０００４】
保持舌片８００と、３つの導電端子４００は、いずれも、導電性金属板を打ち抜き加工した後に、平面状に打ち抜かれた導電性金属板に対して折り曲げ加工することによって立体的に形成されているものであって、導電性金属板の板面を曲げる方向の弾性変形を利用して、それぞれの導電端子４００が単頭プラグ１３０の４つの電極に弾性接触する構成となっている。
【先行技術文献】
【特許文献】
【０００５】
【特許文献１】特開２０１２−４８８２６（図３、図４）
【発明の概要】
【発明が解決しようとする課題】
【０００６】
近年、ジャックを備える電子機器の中でも、とりわけスマートフォンをはじめとする携帯用電子機器において、小型化、薄型化の要求が強くなっている。このような要求を実現するためには、ジャックの外形を小型化すること、ならびに、ジャックが実装される印刷配線基板上の実装面積を縮小することが求められる。また、その一方で、恒常的にジャックに係るコストの抑制も求められている。
【０００７】
引用文献１に開示されている単頭ジャック１００の導電端子４００は、上述したように、導電端子４００を形成する電性金属板の板面を曲げる方向の弾性変形を伴うものであるが、この場合、導電端子４００の幅（本願の図１０における紙面に垂直な方向の長さ）にわたって、単頭プラグ１３０が挿入された際に導電端子４００が退避することができるための空間を確保しておく必要がある。この退避のための空間が単頭ジャック１００の小型化を阻害する要因となる。
【０００８】
また、引用文献１に開示されている単頭ジャック１００では、導電端子４００の形状が立体的で複雑であるがゆえに、単頭プラグ１３０の軸方向に対して片側の範囲だけに全ての導電端子４００を配設することができず、単頭プラグ１３０の軸方向に対して両側に導電端子４００を配設せざるを得ないことも小型化を阻害する要因となっている。
【０００９】
さらに、引用文献１の図３に示されているように、単頭ジャック１００を印刷配線基板に実装するための端子として、単頭ジャック１００の底面部において、導電端子４００から連接している実装用端子が、ハウジング３００の幅方向の外側へ向けて突出させて設けられている。印刷配線基板上に実装用端子をはんだ付けするためのランドを設ける必要があることを鑑みると、単頭ジャック１００が実装される実装面において、単頭ジャック１００が実装面と対向している面積よりもかなり大きい実装面積を必要とすることとなる。従って、電子機器内部の部品の配置密度を高めることが阻害され、電子機器の小型化を阻害する要因となる。  
【００１０】
また、引用文献１に開示されている単頭ジャック１００の導電端子４００は、上述したように、導電性金属板への打ち抜き加工と折り曲げ加工とを経て形成されているので、折り曲げ加工を施すための金型が必要となるなど、導電端子４００を得るための加工に必要となるコストが高い。
【００１１】
本発明は、このような課題を鑑みてなされたものであって、従来のジャックに対して、外形の小型化を図ること、ならびに、ジャックが実装される印刷配線基板上の実装面積を縮小すること、さらには、導電端子の加工のために必要となるコストを低減することに伴ってジャックに係るコストを低減することを目的とする。なお、以後、導電端子のことを「コンタクト」と称する場合がある。
【課題を解決するための手段】
【００１２】
上述の課題を解決するために、本発明によるジャックは、プラグ挿入孔を備えたハウジングと、弾性を有する導電性金属板によって形成され、プラグ挿入孔に挿入されるプラグに弾性接触する接触部をプラグ挿入孔内に突出させた状態でハウジングに保持されてなる複数のコンタクトとを有してなるものであって、複数のコンタクトのうち少なくとも１つのコンタクトが、導電性金属板の板面を曲げる加工を伴わない平板状に形成されてなり、接触部が前記導電性金属板の板面に沿う方向に弾性変位し、導電性金属板の破断面部分でプラグに弾性接触することを特徴とする。  
【００１３】
本発明によれば、材料となる導電性金属板の板面に対して曲げる加工を施すことなく、打ち抜き加工のみをもってコンタクトを形成したことで、コンタクトは、従来のもののように立体的なものではなく、単一の平面に沿った平板状に形成される。その上で、コンタクトの接触部に連接する部分の幅（上述の平面に沿う方向の幅）を適当な幅に形成することによって、接触部を導電性金属板の板面に沿う方向に弾性変位可能に形成し、導電性金属板の破断面部分でプラグに弾性接触するように構成したことで、コンタクトとして必要となる機能が従来のものと同等に実現される。それでいて、従来、施していた曲げ加工を不要としたことで、曲げ加工のために必要となる金型が不要となるなど、コンタクトの加工のために必要となるコストが大幅に低減される。
【００１４】
また、このように平板状にコンタクトを形成したことによって、プラグの挿入に伴う接触部の弾性変位が生じた場合に対応するためにハウジングに必要となる退避のための空間は、導電性金属板の板厚分の幅があれば足りる。上述したような電性金属板の板面を曲げる方向の弾性変形を伴う従来のコンタクトの場合と比較すると、退避のための空間の容積が大幅に縮小されるため、ハウジングを小型化することができ、その結果、ジャックの外形を小型化することができる。
【００１５】
また、本発明によるジャックは、少なくとも１つのコンタクトが印刷配線基板と接続するための接続端子をさらに有し、接続端子は、ハウジングが印刷配線基板の実装面と対向する範囲から突出しない状態で配設され、接続端子の部分において、導電性金属板の破断面部分を印刷配線基板の実装面と対向させた状態で、印刷配線基板と接続されてよい。
【００１６】
本発明によれば、少なくとも１つのコンタクトにおける接続端子がハウジングから突出しない状態となるため、少なくともこの接続端子の部分は、ジャックが実装される印刷配線基板の実装面において、ハウジングが実装面と対向する範囲を超えて設ける必要があるランドが不要となるか、もしくは、従来のようなハウジングから突出させて接続端子を設けた場合に比べて大幅に小さくなる。これによって、電子機器内部におけるジャックを含めた種々の電子部品の配置密度を高めることに寄与し、電子機器を小型化することができる。
【００１７】
また、本発明によるジャックは、少なくとも１つのコンタクトが、接触部が過剰に弾性変位することを阻止するための変位規制部をさらに有してよい。
【００１８】
本発明によれば、何らかの細い物体が挿入されて、コンタクトの接触部が過剰に押し込まれた場合であっても、変位規制部によって接触部の変位量が規制される。これによって、接触部が過剰に変位して塑性変形することが未然に防がれ、プラグが挿入されても接触部がプラグに接触できない状態となること、すなわち、ジャックの永久破壊が発生することを回避することができる。
【００１９】
また、本発明によるジャックは、プラグ挿入孔を備えたハウジングと、弾性を有する導電性金属板によって形成され、プラグ挿入孔に挿入されるプラグに弾性接触する接触部をプラグ挿入孔内に突出させた状態でハウジングに保持されてなる複数のコンタクトと、を有してなるものであって、複数のコンタクトの全てが、導電性金属板の板面を曲げる加工を伴わない平板状に形成されてなり、接触部が導電性金属板の板面に沿う方向に弾性変位し、導電性金属板の破断面部分でプラグに弾性接触するものであり、全てのコンタクトが平行にハウジングに保持されてなるものであってよい。
【００２０】
本発明によれば、ジャックが有する全てのコンタクトを上述したような平板状に形成することによって、全てのコンタクトの部分において、接触部が弾性変位した際の退避のための空間の容積が縮小されるので、ハウジングを最小にすることができ、その結果、ジャックの外形を最小とすることができる。また、コンタクトの加工のために必要となるコストを最低にすることができる。
【００２１】
また、それぞれのコンタクトが平板状なので、複数のコンタクトを互いに平行な状態で配設することが可能であるため、挿入されるプラグの軸方向に対して片側の範囲に全てのコンタクトを配設することができる。このため、従来の立体的なコンタクトをプラグの軸方向に対して両側に配設した場合と比べて、ジャックの小型化を図ることができる。
【００２２】
また、本発明によるジャックは、複数のコンタクトの全てが、印刷配線基板の実装面と接続するための接続端子をさらに有し、接続端子は、ハウジングが印刷配線基板の実装面と対向する範囲から突出しない状態で配設され、接続端子の部分において、導電性金属板の破断面部分を印刷配線基板の実装面と対向させた状態で印刷配線基板と接続されてよい。
【００２３】
ジャックが有するすべてのコンタクトの接続端子を、上述したようなハウジングが印刷配線基板の実装面と対向する範囲から突出しないものとすることで、ジャックの実装面積を最小化することができ、電子機器の小型化に最大限に寄与する。
【発明の効果】
【００２４】
本発明によれば、従来のジャックに対して、外形が小型化され、ジャックが実装される印刷配線基板上における実装面積が縮小され、さらに、コンタクトの加工のために必要となるコストが低減されことに伴ってジャックに係るコストの低減を実現することができる。
【図面の簡単な説明】
【００２５】
【図１】本発明に係るジャックの外観を示す図である。
【図２】本発明に係るジャックの構造を示す図である。
【図３】本発明に係るジャックの要部の分解図である。
【図４】本発明に係るジャックのコンタクトの外観図である。
【図５】図４に示すコンタクトに沿ったジャックの断面図である。
【図６】本発明に係るジャックの別のコンタクトの外観図である。
【図７】本発明に係るジャックのさらに別のコンタクトの外観図である。
【図８】本発明に係るジャックのさらに別のコンタクトの外観図である。
【図９】本発明に係るジャックが実装される態様を示す図であって、          （ａ）は、本発明に係るジャックの背面側斜視図、          （ｂ）は、本発明に係るジャックを印刷配線基板と共に示した図である。
【図１０】従来のジャックを示す図である。
【発明を実施するための形態】
【００２６】
本発明の実施例に係るジャック１について、図１から図９を用いて説明する。
【００２７】
図１は本発明に係るジャック１の外観を示した斜視図である。ジャック１は、その外形が概ね直方体形状をなしている、いわゆる４極ジャックである。ジャック１は、リフロー法などによる実装に耐えうる耐熱性を有する絶縁性樹脂によって形成されたハウジング２によって外形が形成されている。ハウジング２は、図示手前側に、適合するプラグを挿入するための円形の開口部を有している。内部には、開口部から連なって設けられ、ジャック１に挿入されたプラグ（図示しない）を収容するための概ね円筒状をなすプラグ挿入孔１ａを備えている。
【００２８】
図２はジャック１の構造を示すための分解図である。ジャック１のハウジング２は、プラグ挿入孔１ａの下側の内壁をなすインナーハウジング２１を、ジャックの外形をなすアウターハウジング２２の内部へ向けて図示の方向にスライド嵌合させることで組み合わせて形成されている。インナーハウジング２１は、第１コンタクト３、第２コンタクト４、第３コンタクト５、２つの第４コンタクト６、合わせて５つのコンタクトを、互いに平行な状態で、プラグの軸方向に対して片側（下側）の範囲において保持している。
【００２９】
ジャック１を組み立てる際には、先ず、インナーハウジング２１に各コンタクトを保持させて、その後、そのインナーハウジング２１をアウターハウジング２２の内部へスライド嵌合させる。このように構成したことで、ジャック１の組み立てが容易となるとともに、プラグ挿入孔１ａから電子機器内部へ水滴等が侵入することを防止する防水構造とする上で有利である。しかしながら、本発明を実施する上で、このようにハウジングを２ピース構造にすることは必須ではない。
【００３０】
図３はインナーハウジング２１部分の分解図である。第１コンタクト３、第２コンタクト４、第３コンタクト５は、インナーハウジング２１の下側から、２つの第４コンタクト６は、インナーハウジング２１の上側から、それぞれのコンタクトに対応してインナーハウジング２１に設けられた溝部内に圧入されて、保持される。
【００３１】
図４は第１コンタクト３の外観図、図５は第１コンタクト３部分におけるジャック１の縦断面図である。第１コンタクト３は、適度な弾性を有する導電性金属板材料に対してプレス加工による打ち抜き加工を施すことで、単一の平面に沿う平板状をなして、細長形状に形成されている。
【００３２】
第１コンタクト３の一方の先端には、プラグ挿入孔１ａに挿入されるプラグ側へ向けて円形状に形成された接触部３ａが設けられている。本実施例のように接触部３ａを円形状にすることは、プラグを挿入、あるいは、抜去する際に、接触部３ａがプラグに引っかかるなどの不都合を来すことを避けることができる点で好適であるが、接触部３ａの形状は特に円形状に限定されず、他のあらゆる形状であってよい
【００３３】
第１コンタクト３の中央部には、上側に向けて矩形に突出させて圧入部３ｂが設けられている。圧入部３ｂの全幅（板面方向に沿う長さ）は、上述したインナーハウジング２１に設けられた溝部２１ａ（図５を参照）の幅よりも若干広く形成されており、圧入部３ｂを溝部２１ａ向けて、接触部３ａの頂部に当たる部分がプラグ挿入孔１ａの内部へ向けて所定の寸法で突出した状態となる位置に至るまで強く押し込むことによって、第１コンタクト３がインナーハウジング２１に固定され、その状態で保持される。
【００３４】
圧入部３ｂと接触部３ａとの間には、細幅に形成された弾性腕部３ｃが設けられている。弾性腕部３ｃは、適度な弾性力をもって板面に沿う方向に弾性変形するように形成されており、これに伴って、接触部３ａが板面に沿う方向、すなわち、図示の上下方向に弾性変位することが可能となる。
【００３５】
プラグ挿入孔１ａにプラグが挿入された場合、接触部３ａの頂部に位置する導電性金属板の破断面部分が、プラグの対応する電極に対して適度な押圧力をもって弾性接触する。なお、破断面部分とは、破断面に加えて、破断面から導電性金属板の板面に至るまでの角部をも含む部分を指す。挿入されるプラグは円柱状であるため、プラグの中心軸に対してオフセットした位置にコンタクトを配設した場合には、必ずしも接触部３ａの破断面でプラグに接触せず、破断面から接触部３ａの板面に至る角部によって接触することがあり得る。本発明の概念は、このように角部によって接触部３ａがプラグに接触する態様も含む。
【００３６】
インナーハウジング２１とアウターハウジング２２との間には、第１コンタクト３の板厚よりもやや広い幅で設けられた空間である退避空間２３が設けられている。プラグ挿入孔１ａにプラグが挿入された際、接触部３ａと弾性腕部３ｃが退避空間２３内で変位することができるので、必要な範囲での弾性変位が妨げられることがない。
【００３７】
接触部３ａの部分において、接触部３ａとは反対側へ向けて矩形状に突出させた変位規制部３ｄが設けられている。変位規制部３ｄは、その破断面部分がアウターハウジング２２の内壁面と対向している。例えば、細い棒状体を使って、意図的に接触部３ａが下方向へ押し込まれたような場合など、所定の弾性変位の範囲を超えて接触部３ａを弾性変位させようとする力が加わった場合には、変位規制部３ｄがアウターハウジング２２の内壁面に当接することで、接触部３ａが過剰に弾性変位することを防ぐ。これによって、弾性腕部３ｃが塑性変形することが防がれるため、ジャック１の接触不良が生じて、永久破壊に至ることが回避される。
【００３８】
第１コンタクト３の、接触部３ａが設けられている側と反対側の端部には、下側へ向けて矩形に突出させた接続端子３ｅが設けられている。接続端子３ｅの突出寸法は、接続端子３ｅの先端が、アウターハウジング２２から外側へ向けて若干突出する程度に設定されている。接続端子３ｅは、その破断面部分が、ジャック１が実装される印刷配線基板の実装面と対向している。ジャック１を実装する際は、接続端子３ｅを印刷配線基板の実装面に設けられた実装用のランドへのはんだ付け、適度な押圧力によるジャック１の押し付け固定、あるいは、異方性導電薄膜を介した固定など、任意の方法によって電気的な接続を得ればよい。
【００３９】
以上のように、第１コンタクト３は、導電性金属板材料に対して打ち抜き加工のみを施すことで、接触部３ａ、圧入部３ｂ、弾性腕部３ｃ、変位規制部３ｄ、接続端子３ｅを備えて平板状に形成されているものであって、従来の板面を折り曲げて形成された立体的なコンタクトと比べると、コンタクトに求められる同等な機能を有しながら、折り曲げ加工を不要としたことで、加工のためのコストを大幅に低減することが可能となる。また、上述の通り、退避空間２３の幅が第１コンタクト３の板厚の程度で済み、退避空間２３の容積が従来のものよりも大幅に縮小されるため、無駄な空間が小さくなり、ジャック１の小型化が可能になる。
【００４０】
図６は第２コンタクト４の外観図である。第２コンタクト４も、第１コンタクト３の場合と同様に、接触部４ａ、圧入部４ｂ、弾性腕部４ｃ、変位規制部４ｄ、接続端子４ｅを備えて平板状に形成されている。これら各部位の構成や作用効果は、第１コンタクト３の場合と同様であるので、詳述は省く。
【００４１】
図７は第３コンタクト５の外観図である。第３コンタクト５も、第１コンタクト３の場合と同様に、接触部５ａ、第１圧入部５ｂ、第２圧入部５ｃ、弾性腕部５ｄ、変位規制部５ｅ、接続端子５ｆを備えて平板状に形成されているが、特に、第１圧入部５ｂと第２圧入部５ｃ、弾性腕部５ｄ、変位規制部５ｅの構成が、第１コンタクト３の場合と異なる。
【００４２】
第３コンタクト５に対応するプラグの電極は、第１コンタクト３や第２コンタクト４に対応する電極の位置に比べて、プラグ挿入孔１ａの奥側に位置している。この位置関係に対応するために、第３コンタクト５では、接触部５ａが第３コンタクト５のほぼ中央部に位置している。第１コンタクト３において接触部３ａが設けられていた部分に相当する先端部には、第１圧入部５ｂが設けられている。接触部５ａと第１圧入部５ｂとの間には、細幅に形成された弾性腕部５ｃが設けられており、第１圧入部５ｂ側を支点として、接触部５ａが板面方向に沿って図示の上下方向に弾性変位することが可能である。
【００４３】
第３コンタクト５の中央部には、上側に向けて突出させて第２圧入部５ｃが設けられている。第３コンタクト５は、第１圧入部５ｂと第２圧入部５ｃとによって、インナーハウジング２１に保持される。
【００４４】
第３コンタクト５の変位規制部５ｅは、第２圧入部５ｃの一部を、第１圧入部５ｂ側へ向けて傾斜させて切り欠いて形成されている。第３コンタクト５の接触部５ａに対して、所定の弾性変位の範囲を超えて接触部５ａを弾性変位させようとする力が加わった場合、接触部５ａの下側に位置する破断面が、変位規制部５ｅの傾斜した切り欠きの破断面に当接することで、接触部５ａが過剰に変位することを防ぐ。第３コンタクト５の変位規制部５ｅは、可動部である接触部５ａの側ではなく、固定されている部位である第２圧入部５ｃの側に設けられている点で第１コンタクト３の場合と異なるが、いずれの場合であっても、接触部３ａ，５ａの過剰な変位を防ぐ点で共通しているので、両方とも、本発明における「変位規制部」の概念に含まれる。
【００４５】
図８は第４コンタクト６の外観図である。第４コンタクト６も、他のコンタクトと同様に、接触部６ａ、圧入部６ｂ、弾性腕部６ｃ、変位規制部６ｄ、接続端子６ｅを備えて平板状に形成されている。また、変位規制部６ｄが、第４コンタクト６の固定部位に設けられている点で第３コンタクト５に近い構成であるが、特に、圧入部６ｂについて、第３コンタクト５とは構成が異なる。
【００４６】
第４コンタクト６の圧入部６ｂは、接続端子６ｅと一体的に、第４コンタクト６の下側へ向けて矩形に突出させて形成されている。これは、上述したように、第４コンタクト６はインナーハウジング２１の上側から圧入されるので、このような構成とするのが好適なためである。なお、この突出部分の寸法は、接続端子６ｅの先端がアウターハウジング２２から外側へ向けて若干突出する程度に設定されている。弾性腕部６ｃは、変位規制部６ｄの部分からＵ字状に折り返して形成されており、接触部６ａに至る細幅のＵ字状部分の全てが弾性変形可能に形成されている。
【００４７】
なお、ジャック１は、同じ形状の第４コンタクト６を２つ備えており、これら２つの第４コンタクト６によって、プラグの最も先端側に位置する電極に弾性接触して、電気的な導通を得ることのほかに、プラグが抜けないように、プラグを強固に保持する役割も果たす。
【００４８】
図９はジャック１の実装態様を示すための外観図であって、図９（ａ）はジャック１の底面（印刷配線基板に対向する面）を含む斜視図、図９（ｂ）はジャック１が印刷配線基板７に実装された状態を示す斜視図である。
【００４９】
ジャック１の底面のプラグ挿入孔１ａの奥側に位置する部分には、各コンタクトの接続端子３ｅ，４ｅ，５ｆ，６ｅの先端が、インナーハウジング２１の底面から同じ高さで突出しているが、これら接続端子３ｅ，４ｅ，５ｆ，６ｅの全てにおいて、アウターハウジング２２が印刷配線基板７の実装面と対向する範囲から突出していない。また、これら接続端子３ｅ，４ｅ，５ｆ，６ｅの全てにおいて、その破断面が印刷配線基板７の実装面に対向するように配設されている。
【００５０】
印刷配線基板７の実装面上には、接続端子３ｅ，４ｅ，５ｆ，６ｅのそれぞれに対応する位置に図示しないランドが設けられている。それぞれのランドの形状は矩形であって、接続端子３ｅ，４ｅ，５ｆ，６ｅのそれぞれの破断面の先端の矩形形状の寸法に対して、やや大きい寸法に形成されているが、いずれも、アウターハウジング２２が印刷配線基板７の実装面と対向している範囲に収まっている。このようなランドが配設される必要があることを鑑みても、概ね、図９（ｂ）に示す程度の大きさの印刷配線基板７の程度の範囲でジャック１と印刷配線基板７とを接続することが可能である。このような接続に要する面積は、従来のジャックのように、ハウジングが印刷配線基板と対向する範囲を超えて接続端子が設けられている場合と比べて大幅に小さいものであり、電子機器内部の電子部品の配置密度を高めることに寄与する。
【産業上の利用可能性】
【００５１】
本発明は、ジャックにおいて利用することが可能であり、特に、小型化を求められるジャックにおいて好適に利用することができる。
【符号の説明】
【００５２】
１  ジャック
１ａ  プラグ挿入孔
２  ハウジング
２１  インナーハウジング
２１ａ  溝部
２２  アウターハウジング
２３  退避空間
３  第１コンタクト
３ａ  接触部
３ｂ  圧入部
３ｃ  弾性腕部
３ｄ  変位規制部
３ｅ  接続端子
４  第２コンタクト
４ａ  接触部
４ｂ  圧入部
４ｃ  弾性腕部
４ｄ  変位規制部
４ｅ  接続端子
５  第３コンタクト
５ａ  接触部
５ｂ  第１圧入部
５ｃ  第２圧入部
５ｄ  弾性腕部
５ｅ  変位規制部
５ｆ  接続端子
６  第４コンタクト
６ａ  接触部
６ｂ  圧入部
６ｃ  弾性腕部
６ｄ  変位規制部
６ｅ  接続端子
７  印刷配線基板
【図１】
2015185469.tif 000003
【図２】
2015185469.tif 000004
【図３】
2015185469.tif 000005
【図４】
2015185469.tif 000006
【図５】
2015185469.tif 000007
【図６】
2015185469.tif 000008
【図７】
2015185469.tif 000009
【図８】
2015185469.tif 000010
【図９】
2015185469.tif 000011
【図１０】
2015185469.tif 000012